(57)【特許請求の範囲】
【請求項１】
左右のバストに対応する２つのカップ部と、前記カップ部の脇側縁から延びるサイドパネルと、前記カップ部の内面に配設された帯状のリフトアップパネルと、前記リフトアップパネルの長手方向端部に接続された肩紐とを備えるブラジャーにおいて、
前記リフトアップパネルは、伸縮性の無い布からなり、かつ、前記カップ部の頂上側に配置される側縁から切り込まれたダーツを縫い合わせることによってバストの下部および側部に沿うように立体縫製されており、前記リフトアップパネルの下側縁が前記カップ部の下部外周縁に縫い付けられている、ブラジャー。
【発明の詳細な説明】
【技術分野】
【０００１】
本発明は、バストアップを図ることのできるブラジャーに関する。
【背景技術】
【０００２】
この種の従来のブラジャー１では、図５に示すように、カップ部２の下部内面に帯状のリフトアップパネル３が配設され、リフトアップパネル３の長手方向端部には肩紐４が接続されていた。リフトアップパネル３は、肩紐４と協働してバストを持ち上げる機能を有するものであり、図６に示すように、カップ部２の下部内面に対応する形状に布を切断することによって形成されており、このリフトアップパネル３の下側縁がカップ部２の下部外周縁に縫い付けられていた。
【０００３】
なお、このブラジャー１（図５）は、既に製造・販売されているものではあるが、リフトアップパネル３が示された文献は存在しないため、先行技術文献の開示は省略する。
【発明の開示】
【発明が解決しようとする課題】
【０００４】
従来のブラジャー１（図５）では、リフトアップパネル３が平面状に形成されており、このリフトアップパネル３の下側縁がカップ部２の下部外周縁に縫い付けられていたので、リフトアップパネル３の上側縁Ａに弛みが生じていた。そのため、リフトアップパネル３とバストとの密着性が悪く、リフトアップパネル３によってバストを理想の形に保持するのが困難であった。
【０００５】
それゆえに、この発明の主たる目的は、リフトアップパネルとバストとの密着性を高めることによってバストを理想の形に保持することのできるブラジャーを提供することである。
【課題を解決するための手段】
【０００６】
請求項１に記載した発明は、「左右のバストに対応する２つのカップ部１２と、カップ部１２の脇側縁から延びるサイドパネル２０と、カップ部１２の内面に配設された帯状のリフトアップパネル１８と、リフトアップパネル１８の長手方向端部に接続された肩紐２２とを備えるブラジャー１０において、リフトアップパネル１８は、伸縮性の無い布からなり、かつ、カップ部１２の頂上側に配置される側縁から切り込まれたダーツ１８ｃを縫い合わせることによってバストの下部および側部に沿うように立体縫製されており、リフトアップパネル１８の下側縁がカップ部１２の下部外周縁に縫い付けられている、ブラジャー１０」である。
【０００７】
この発明では、リフトアップパネル１８がカップ部１２の内面に沿うように立体縫製されているので、リフトアップパネル１８の上側縁に弛みが生じることはなく、リフトアップパネル１８をバストに密着させることができる。
【発明の効果】
【００１２】
請求項１〜３に記載した発明によれば、リフトアップパネルがバストの下部および側部に沿うように立体縫製されているので、リフトアップパネルとバストとの密着性を高めることができ、バストを理想の形に保持することができる。
【発明を実施するための最良の形態】
【００１３】
本発明が適用されたブラジャー１０は、図１に示すように、２つのカップ部１２と、カップ部１２どうしを連結する連結部１４と、カップ部１２の下部外周縁に設けられたワイヤーループ１６と、ワイヤーループ１６に収容されたワイヤー（図示省略）と、カップ部１２の内面に配設されたリフトアップパネル１８と、カップ部１２の脇側縁から延びるサイドパネル２０と、肩紐２２とによって構成されている。
【００１４】
カップ部１２は、上カップ布１２ａと、脇カップ布１２ｂと、下カップ布１２ｃとによって立体縫製されており、カップ部１２どうしが連結部１４を介して左右に連結されている。
【００１５】
ワイヤーループ１６は、バスト形状を保持するためのワイヤー（図示省略）を収容する紐状の部材であり、カップ部１２の下部外周縁に一体的に設けられている。なお、ワイヤーループ１６に収容されるワイヤーの材料としては、一般に金属（鉄，ステンレススチール，アモルファス合金，形状記憶合金）または合成樹脂（ポリカーボネート，ＰＰＳ，ＰＥＴ）が用いられるが、バストの形状を保持しうる強度と柔軟性があれば、他の材料が用いられてもよい。
【００１６】
リフトアップパネル１８は、図２に示すように、バストの下部および側部に密着される保持部１８ａと肩紐２２が接続される吊上げ部１８ｂとを有する帯状部材であり、伸縮性の無い布によって立体縫製されている。保持部１８ａは、図３に示すように、ダーツ１８ｃを縫い合わせることによって、バストの下部および側部に沿うように立体化されている。また、保持部１８ａの下側縁は、カップ部１２の下部外周縁に沿うように湾曲されており、この下側縁がカップ部１２の下部外周縁に縫い付けられている。
【００１７】
なお、リフトアップパネル１８を立体縫製する際には、保持部１８ａにおいて１つのダーツ１８ｃを縫い合わせるようにしてもよいが、リフトアップパネル１８をバストに適合する所定形状に精度よく仕上げるためには、少なくとも２つのダーツ１８ｃを縫い合わせるようにすることが望ましい。
【００１８】
また、リフトアップパネル１８をカップ部１２の内面に沿わせるためには、リフトアップパネル１８（保持部１８ａ）の曲率をカップ部１２の曲率と同程度に設定すればよいが、リフトアップパネル１８とバストとの密着性を高めるためには、リフトアップパネル１８（保持部１８ａ）の曲率をカップ部１２の曲率よりも大きくすることが望ましい。
【００１９】
サイドパネル２０は、伸縮性の繊維素材によって形成された帯状部材であり、サイドパネル２０の一端がカップ部１２の脇側縁に縫い付けられている。そして、一方のサイドパネル２０の先端部には、係止具２４が取り付けられており、他方のサイドパネル２０の先端部には、係止具２４に係止されるフック２６が取り付けられている。
【００２０】
肩紐２２は、カップ部１２およびサイドパネル２０の位置ずれを防止するとともに、リフトアップパネル１８と協働してバストを持ち上げて保持するものであり、肩紐２２の一端がリフトアップパネル１８の吊上げ部１８ｂに接続されており、他端が背中側に位置するサイドパネル２０の上側縁に接続されている。これにより、リフトアップパネル１８と肩紐２２とが一体となり、肩紐２２の吊上げ力をリフトアップパネル１８に直接作用させることができる。
【００２１】
ブラジャー１０を装着した状態では、図４に示すように、リフトアップパネル１８がバストの下部および側部に密着され、肩紐２２の吊上げ力によって、バストが持ち上げられるとともに内側へ寄せられて保持される。
【００２２】
この実施例によれば、リフトアップパネル１８（図２）が立体縫製されているので、バストに対する密着性が高く、リフトアップパネル１８によってバストを理想の形に保持することができる。また、２つのダーツ１８ｃ（図３）を縫い合わせることによってリフトアップパネル１８を立体化させているので、リフトアップパネル１８をバストに適合する所定形状に精度よく仕上げることができる。そして、リフトアップパネル１８の曲率をカップ部１２の曲率よりも大きくすると、リフトアップパネル１８とバストとの密着性をより高めることができる。
【００２３】
さらに、発明者等の実験によって、わずかな運動（歩行運動や椅子からの起立運動等）でも大胸筋を効率よく刺激できることが判明しており、このことから、胸の血行をよくして発育を促進する効果を期待できる。以下には、その実験の方法および結果について説明する。
【００２４】
［実験方法］
(a)  図１に示した本発明に係るブラジャー１０と、図５に示した従来技術に係るブラジャー１とを準備し、これらを被験者である女性２１名に専門アドバイザーの指導のもとで装着し、「歩行運動」と「椅子からの起立運動」のときの筋電位を測定して筋電図を取得した。
【００２５】
(b)  女性２１名の年齢は２４歳〜３９歳、平均身長は１５７ｃｍ±５．５ｃｍ、平均体重は５２ｋｇ±４．５ｋｇ、平均バストは８１．５ｃｍ±３．７ｃｍであった。また、バストカップは、Ａカップが２名、Ｂカップが５名、Ｃカップが１１名、Ｄカップが３名であった。
【００２６】
(c)  筋電位の測定には、日本光電工業株式会社製の「マルチテレメータシステム」を使用し、また、筋電図用ヘッドアンプを使用した。そして、ＡＤ Instruments社製の「PowerLab/16sp」を用いてデジタル変換し、ＰＣに保存した後、統計処理を行って筋電図を取得した。
【００２７】
(d)  「歩行運動」は、日本光電工業株式会社製の「エアロミル」を用いて、２．７ｍ／ｓの速度で行った。「椅子からの起立運動」は、指定姿勢から指定リズムで立ち上がる動作を行った。歩行中の腕の振り幅およびスピードは、マーカー、リズム装置およびＰＥライン等を用いてできるだけ均一になるように管理した。いずれの運動も被験者が運動内容を理解し、動作馴致トレーニングを十分に行った上で行い、安定した筋電位のみを記録した。
【００２８】
(e)  実験環境は、気温・湿度調整室を用いて、室温２２℃、湿度３５％に設定した。
【００２９】
［実験結果］
実験結果は、表１および表２に示した筋電図の通りである。なお、これらの筋電図は、被験者２１名分の筋電位波形の絶対値をとり、これをフィルターにかけて修正した後、平均化したものである。
【００３０】
【表１】
0003711136.tif 000002
【００３１】
【表２】
0003711136.tif 000003
これらのグラフから、本発明によれば、従来技術に比べてわずかな運動でも大胸筋を効率よく刺激できることが分かる。なお、かかる効果は、バストに密着したリフトアップパネル１８が腕の動作等に伴って大胸筋を刺激することにより得られるものと考えられる。
【図面の簡単な説明】
【００３２】
【図１】ブラジャーを示す正面図である。
【図２】リフトアップパネルを示す正面図である。
【図３】リフトアップパネルの立体縫製方法を示す正面図である。
【図４】ブラジャーの使用状態を示す斜視図である。
【図５】従来のブラジャーを示す正面図である。
【図６】従来のリフトアップパネルを示す正面図である。
【符号の説明】
【００３３】
１０…  ブラジャー
１２…  カップ部
１６…  ワイヤーループ
１８…  リフトアップパネル
１８ｃ…  ダーツ
２０…  サイドパネル
２２…  肩紐
【要約】
【課題】      バストを理想の形に保持することのできるブラジャーを提供する。
【解決手段】  ブラジャー１０は、左右のバストに対応する２つのカップ部１２と、カップ部１２の下部内面に配設された帯状のリフトアップパネル１８と、リフトアップパネル１８の長手方向端部に接続された肩紐２２とを備えている。リフトアップパネル１８は、バストの下部および側部に沿うように立体縫製されており、リフトアップパネル１８の下側縁がカップ部１２の下部外周縁に縫い付けられている。
【選択図】      図１
【図１】
0003711136.tif 000004
【図２】
0003711136.tif 000005
【図３】
0003711136.tif 000006
【図４】
0003711136.tif 000007
【図５】
0003711136.tif 000008
【図６】
0003711136.tif 000009